(57)【要約】【課題】球発射操作機構部が遊技機枠に組み付けられた状態と遊技機枠より取り外された状態との双方において球発射操作の適切化を図る。【解決手段】支持部１０の内部に組み付けられた可変抵抗器１１と遊技機枠２の裏側に設けられた制御装置８とが被覆電線１５で互いに分離不能に接続される一方、嵌合部２１と係合部２２との嵌め合いで支持部１０が遊技機枠２の収納部１７に回転不能に装着された状態において遊技者が操作部９を回転操作するか、または、遊技者が支持部１０を収納部１７から引き抜いて支持部１０を支持した状態において操作部９を回転操作すると、歯車列１４を介して可変抵抗器１１が動作し、この可変抵抗器１１の抵抗値の変化が被覆電線１５を経由して制御装置８に出力され、制御装置８により球発射機構が球を遊技領域に向けて発射する。【選択図】　　　　図１
2004033470.tif 000002
【特許請求の範囲】
【請求項１】
遊技者による球発射の操作量を電気的な出力に変換する電気部品の組み付けられた球発射操作機構部と、遊技機枠の前面に設けられて球発射操作機構部を遊技機枠の前側から収納し得る収納部と、収納部を経由して球発射操作機構部の電気部品と遊技機枠の裏側に設けられた制御装置とを接続する被覆電線と、球発射操作機構部に設けられた嵌合部と、嵌合部を受け入れることで球発射操作機構部を収容部に回転不能に支持する収納部に設けられた係合部とを備えたことを特徴とするパチンコ機の球発射操作装置。
【請求項２】
嵌合部を球発射操作機構部の外周面に設け、係合部を収納部の内周面に設けたことを特徴とする請求項１記載のパチンコ機の球発射操作装置。
【発明の詳細な説明】
【０００１】
【発明の属する技術分野】
本発明はパチンコ機において遊技者による操作量を電気的な出力に変換する球発射操作装置に関する。
【０００２】
【従来の技術】
図５は特開平８−１５５０８３号公報で開示されたパチンコ機の球発射操作装置を示し、球発射操作機構部５０を遊技機枠５１から分離して運搬可能とし、遊技者が球発射操作機構部５０を持ち運んで遊技を行おうとするパチンコ機の場所に行き、球発射操作機構部５０を遊技機枠５１の前面に設けられた収納部５２に前側から挿入し、球発射操作機構部５０に設けられたコネクタ５３および嵌合部５４を収納部５２に設けられたコネクタ５５および係合部５６に嵌め合わせることによって、球発射操作機構部５０に組み付けられた遊技者による操作量を電気的な出力に変換する電気部品からの出力を遊技機枠５１の裏側に設けられた制御装置５７に出力するようになっている。図６は特開２００１−１４９５４２号公報で開示されたパチンコ機の球発射操作装置を示し、球発射操作機構部６０を遊技機枠６１から分離し、球発射操作機構部６０に組み付けられた遊技者による操作量を電気的な出力に変換する電気部品と遊技機枠６１の裏側に設けられた制御装置とを被覆電線６３で分離不可能に接続し、遊技を行おうとするパチンコ機の場所に行った遊技者が遊技機枠６１の前面に設けられた収納部６４から球発射操作機構部６０を取り外して手で持って操作するようになっている。
【０００３】
【発明が解決しようとする課題】
しかしながら、図５の球発射操作装置は嵌合部５４が球発射操作機構部５０の裏面に設けられ、係合部５６が収納部５２の奥における底面に設けられた構造であるため、球発射操作機構部５０を遊技機枠５１の収納部５２に嵌め込む場合に、嵌合部５４と係合部５６との位置合わせが取りづらいという問題点がある。図６の球発射操作装置は球発射操作機構部６０が遊技機枠６１の収納部６４に回転可能に嵌め込まれる構造であるため、球発射操作機構部６０が収納部６４に取り付けられた状態で、遊技者が球発射操作機構部６０を片手で遊技のための操作をしづらいという問題点がある。
【０００４】
そこで、本発明は球発射操作機構部を遊技機枠に取り付けた場合と遊技機枠から取り外した場合との双方で球発射操作を適切に行うことができる球発射操作装置を提供するものである。
【０００５】
【課題を解決するための手段】
本発明にあっては、遊技者による球発射の操作量を電気的な出力に変換する電気部品の組み付けられた球発射操作機構部と、遊技機枠の前面に設けられて球発射操作機構部を遊技機枠の前側から収納し得る収納部と、収納部を経由して球発射操作機構部の電気部品と遊技機枠の裏側に設けられた制御装置とを接続する被覆電線と、球発射操作機構部に設けられた嵌合部と、嵌合部を受け入れることで球発射操作機構部を収容部に回転不能に支持する収納部に設けられた係合部とを備えたことによって、嵌合部と係合部とが互いに嵌め合わされることによって球発射操作機構部が収納部に回転不能に支持されると、遊技者が片手で球発射操作機構部に対する球発射操作を容易に行うことができる一方、球発射操作機構部が収納部より引き抜かれると、遊技者が球発射操作機構部を一方の手で支持しつつ球発射機構部に対する球発射操作を他方の手で行うことができ、球発射操作機構部が遊技機枠に取り付けられた場合と遊技機枠から取り外された場合との何れにおいても遊技者が球発射操作を適切に行うことができ、また、球発射操作機構部の電気部品と遊技機枠の制御装置とが被覆電線で接続されているので、球発射操作機構部の別の場所への持ち運びを禁止することができる。また、本発明にあっては、嵌合部を球発射操作機構部の外周面に設け、係合部を収納部の内周面に設ければ、遊技者が球発射操作機構部を収納部に挿入する場合に、遊技者が嵌合部および係合部が見易くなり、嵌合部と係合部との位置合わせを容易に行うことができる。
【０００６】
【発明の実施の形態】
図１〜図４は一実施形態であって、図１は球発射操作機構部７を収納部１７より取り外した状態の球発射操作装置６の外観を示し、図２は球発射操作機構部７を収納部１７に収納した形態の断面を示し、図３は球発射操作機構部７を収納部１７から取り外した形態の断面を示し、図４はパチンコ機の正面を示す。
【０００７】
図４を参照し、パチンコ機について説明する。パチンコ機は遊技主体である遊技盤１を遊技機枠２の内部に交換可能に格納し、遊技機枠２の前面にガラスまたは合成樹脂からなる透視性を有するパネル３、上皿４、下皿５およびハンドルグリップと呼ばれるような球発射操作装置６を備えた形態である。パネル３や上皿４は図外のヒンジで前側横方向に片開きに可能になっている。
【０００８】
図１を参照し、球発射操作装置６について説明する。球発射操作装置６は大まかには遊技機枠２の前面から運搬不可能に分離された球発射操作機構部７と遊技機枠２の裏側に設けられた制御装置８を備える。球発射操作機構部７は前側の操作部９と後側の支持部１０とを備える。操作部９は支持部１０に回転可能に取り付けられる。支持部１０は有底円筒状であって、内部に遊技者による球発射操作機構部７の操作量を電気的な出力に変換する電気部品としての可変抵抗器１１を備える。
【０００９】
可変抵抗器１１の器軸は操作部９の操作軸１３に歯車列１４で連結される。歯車列１４は駆動歯車１４ａおよび従動歯車１４ｂを備える。駆動歯車１４ａが操作軸１３と一緒に回転するように操作軸１３に取り付けられ、従動歯車１４ｂが可変抵抗器１１の器軸と一緒に回転するように当該器軸に固定された状態において、駆動歯車１４ａと従動歯車１４ｂとは互いに噛み合う。可変抵抗器１１の出力部に接続された被覆電線１５は支持部１０の内部から支持部１０の底部に形成された貫通孔１６を経由して支持部１０の外部に引き出される。支持部１０の外部に引き出された被覆電線１５は遊技機枠２の前面に球発射操作機構部７を前側から収納し得る円柱状の窪みとして形成された収納部１７の内部から収納部１７の底部に形成された図２の貫通孔１８および遊技機枠２に形成された貫通孔２４を経由して制御装置８の入力部に接続される。具体的には収納部１７は遊技機枠２の前面に設けられた下皿５の周辺における合成樹脂からなる前面飾り２３に設けられる。
【００１０】
被覆電線１５における収納部１７の底部から遊技機枠２の裏側に延設された部分には遊技機枠２の裏側に設けられたコイルスプリングのような弾性体１９が結合される。弾性体１９は被覆電線１５を遊技機枠２の裏側に引き込むような弾性を被覆電線１５に付与する。図示は省略するが、遊技者による接触を検出するために操作部９の表面に金属メッキで被覆形成された電極に接続された被覆配線は、被覆電線１５と同様に支持部１０の内部から貫通孔１６を経由して支持部１０の外部に引き出され、収納部１７の内部から貫通孔１８および貫通孔２４を経由して制御装置８の入力部に接続されるとともに、被覆電線１５と一緒に弾性体１９に結合される。嵌合部２１は支持部１０の外周面に外周面から径方向外側に突出する凸状に設けられ、嵌合部２１の後端は支持部１０の裏面よりも操作部９の側に位置する。係合部２２は収納部１７の内周面に内周面から径方向外側に窪む凹状に設けられる。
【００１１】
本実施形態の動作について説明する。図３に示すように、制御装置８が電力供給で起動しているとともに、支持部１０の内部に組み付けられた可変抵抗器１１と遊技機枠２の裏側に設けられた制御装置８とが被覆電線１５で互いに分離不能に接続された状態において、遊技者が球発射操作機構部７を遊技機枠２の前側に引き抜くことによって、支持部１０が収納部１７から分離される。
【００１２】
この支持部１０の遊技機枠２からの分離に伴い、被覆電線１５の中間部が遊技機枠２の裏側から貫通孔２４と貫通孔１６および収納部１７の内部を経由して収納部１７よりも前側に弾性体１９の弾性に抗して引き出される。このように球発射操作機構部７が遊技機枠２の前側に引き出されて遊技機枠２から分離された状態において、遊技者が支持部１０を片方の手で回転しないように支持して操作部９に触れると、制御装置８が遊技者による人感センサの電極への接触に基づき発射許可状態となる一方、遊技者が操作部９を他方の手で回転操作すると、遊技者による操作部９への回転量に応じ歯車列１４を介して可変抵抗器１１が動作し、この可変抵抗器１１の抵抗値の変化が電気的な出力として変換されて被覆電線１５を経由して制御装置８に出力される。
【００１３】
制御装置８は可変抵抗器１１から被覆電線１５を経由して入力された抵抗値の変化に伴う電気的な出力に応じて遊技機枠２の内部に設けられた球発射機構の電磁ソレノイドやモータのような球発射駆動源を分間１００発未満の球を発射するように制御し、球発射機構が球発射駆動源の動作により上皿４から供給された球を１個ずつ遊技盤１のガイドレール２５で囲まれた内部の遊技領域に発射する。
【００１４】
図２に示すように、制御装置８が電力供給で起動しているとともに、球発射操作機構部７の内部に組み付けられた可変抵抗器１１と遊技機枠２の裏側に設けられた制御装置８とが被覆電線１５で互いに分離不能に接続された状態において、遊技者が球発射操作機構部７の支持部１０を収納部１７に前側から挿入し、嵌合部２１が遊技機枠２の収納部１７の周りの前面に接触したまま、遊技者が支持部１０を回転し、嵌合部２１が係合部２２と位置が合ったところで、遊技者が球発射操作機構部７を収納部１７に押し込むことによって、嵌合部２１と係合部２２とが互いに嵌め合わせられ、支持部１０が遊技機枠２の収納部１７に回転不能に装着される。
【００１５】
この球発射操作機構部７の遊技機枠２への装着に伴い、被覆電線１５の中間部が収納部１７の内部部と貫通孔１８および貫通孔２４を経由して収納部１７より後側に弾性体１９の弾性で引き込まれる。このように球発射操作機構部７の支持部１０が遊技機枠２の収納部１７に回転不能に装着された状態において、遊技者が操作部９に触れると、制御装置８が遊技者による人感センサの電極への接触に基づき発射許可状態となる一方、遊技者が操作部９を片方の手で回転操作すると、遊技者による操作部９への回転量に応じ歯車列１４を介して可変抵抗器１１が動作し、この可変抵抗器１１の抵抗値の変化が電気的な出力として変換されて被覆電線１５を経由して制御装置８に出力される。制御装置８は可変抵抗器１１から被覆電線１５を経由して入力された抵抗値の変化に伴う電気的な出力に応じて前述した球発射駆動源を分間１００発未満の球を発射するように制御し、球発射機構が球発射駆動源の動作によって上皿４から供給された球を１個ずつ遊技盤１のガイドレール２５で囲まれた内部の遊技領域に発射する。
【００１６】
前記実施形態では嵌合部２１を凸状に設けるとともに係合部２２を凹状に設けたが、嵌合部２１を凹状に設けるとともに係合部２２を凸状に設けてもよい。つまり、嵌合部２１を支持部１０の外周面に外周面から径方向内側に窪む凹状に形成し、嵌合部２１の後端を支持部１０の裏面に貫通させる一方、係合部２２を収納部１７の内周面に内周面から径方向内側に突出する凸状に形成する。この場合、係合部２２の前端を前面飾り２３の収納部１７周りの前面よりも収納部１７における底面の側に位置させれば、球発射操作機構部７が収納部１７に挿入され、支持部１０の裏面が係合部２２の前端に接触した状態において、遊技者が支持部１０を回転させて嵌合部２１と係合部２２との位置合わせを容易に行うことができる。
【００１７】
弾性体１９に代えて人為的な引出操作で被覆電線１５を弾性体のばね力に抗して回胴から引き出し可能であるとともに引出操作解除により被覆電線１５を弾性体のばね力で回胴に巻き付けるコードリールのような巻取装置を適用することもできる。また、被覆電線１５の引きちぎれを防止するチェーンのような可撓性の有る連結部材で支持部１０と遊技機枠２とを結合することができる。
【図面の簡単な説明】
【図１】一実施形態の球発射操作装置を示す分解斜視図。
【図２】同実施形態の球発射操作装置の収納形態を示す縦断面図。
【図３】同実施形態の球発射操作装置の取外形態を示す縦断面図。
【図４】同実施形態のパチンコ機を示す正面図。
【図５】従来例の球発射操作装置を示す断面図。
【図６】従来例の球発射操作装置を示す斜視図。
【符号の説明】
２　遊技機枠
６　球発射操作装置
７　球発射操作機構部
１１　可変抵抗器（電気部品）
１５　被覆電線
１７　収納部
２１　嵌合部
２２　係合部
【図１】
2004033470.tif 000003
【図２】
2004033470.tif 000004
【図３】
2004033470.tif 000005
【図４】
2004033470.tif 000006
【図５】
2004033470.tif 000007
【図６】
2004033470.tif 000008